(57)【要約】【課題】コネクタの後方に延びる電線が横方向に引っ張られたりすることにより端子に左右方向への力が作用した場合にも、端子収容室内での端子の振れ（ねじれとも言う）を最小限に抑えることのできるコネクタを提供する。【解決手段】端子５０の前部に、オスタブ端子を受け入れて接触導通する扁平角筒状のボックス部５１が設けられ、ボックス部を構成する幅広の周壁の幅方向中央と幅方向両端近傍の３箇所にそれぞれ係止孔５４、５５が設けられている。一方、端子を係止するコネクタハウジング側のランス２０は、端子のボックス部の幅寸法に対応した１枚の幅広の板状に形成され、その板状のランスの幅広面に、端子の３箇所の係止孔にそれぞれ係合する３つのビーク２２、２３が突設されている。ランスには、弾性を高めるスリット２４と３つのビークを連結する連結部２５が設けられている。【選択図】図５
2014026793.tif 000002
【特許請求の範囲】
【請求項１】
コネクタハウジングと、電線の先端に取り付けられて前記コネクタハウジングの内部に収容保持される端子とを備え、
前記コネクタハウジングに、後方から前記端子が挿入される端子収容室と、該端子収容室に後方から挿入される前記端子の前端が突き当たることで前記端子を前方向に位置決めするストッパと、前記端子収容室に後方から前記端子が挿入された際に前記端子に押されて前記端子の挿入経路の外側へ一旦撓み変形し、前記端子が前記ストッパで位置決めされる位置まで挿入された段階で撓みから復帰して前記端子の係止孔にビークを係合させ、それにより前記端子を後方へ位置決め係止する可撓性を有したランスと、が設けられたコネクタにおいて、
前記端子の前部に、相手側コネクタのオスタブ端子が前方から進入してきたときに該オスタブ端子を受け入れて接触導通する扁平角筒状のボックス部が設けられ、該ボックス部を構成する幅広の周壁の幅方向中央と幅方向両端近傍の３箇所にそれぞれ前記係止孔が設けられており、
一方、前記ランスに、前記端子の３箇所の前記係止孔にそれぞれ係合する３つの前記ビークが突設されていることを特徴とするコネクタ。
【請求項２】
前記ランスが、前記端子の前記ボックス部の幅寸法に対応した１枚の幅広の板状に形成され、その板状の前記ランスの幅広面に、前記端子の３箇所の前記係止孔にそれぞれ係合する３つの前記ビークが突設され、前記ランスの幅方向両端に配された前記ビークと幅方向中央に配された前記ビークの間に位置させて前記ランスには、前記ランスの弾性を高めるためのスリットが前後方向に沿って形成され、該スリットで前記ランスの幅方向に切り離された３つの部分の先端が連結部により相互連結されていることを特徴とする請求項１に記載のコネクタ。
【請求項３】
前記ランスの幅方向両端に配された前記ビークと前記幅方向中央に配された前記ビークの位置が前後方向にずれており、前記３つのビークの前端が前記各係止孔の前部孔縁に係合し、少なくとも前記幅方向両端に配された前記ビークの側面が前記係止孔の側部孔縁に係合するように構成されていることを特徴とする請求項１又は２に記載のコネクタ。
【請求項４】
前記幅方向両端に配されたビークが前記幅方向中央に配されたビークよりも前後方向に長く形成されていることを特徴とする請求項３に記載のコネクタ。
【請求項５】
前記コネクタハウジングの内部に前方から装着されるフロントホルダを有し、
該フロントホルダは、前記コネクタハウジングに対し手前側の仮係止位置から奥側の本係止位置に押し込み可能とされ、
前記コネクタハウジングに、前記フロントホルダが仮係止位置にある状態で、前記コネクタハウジングの後方より挿入された端子を抜け止め係止する前記ランスが設けられ、
該フロントホルダには、前記端子を前記ランスにより抜け止め係止した状態で前記フロントホルダを仮係止位置から本係止位置に押し込んだとき、前記ランスの撓み空間内に進入して前記ランスの撓みを禁止し、それにより前記端子を二重係止するランス押さえ部が設けられていることを特徴とする請求項１〜４のいずれか一項に記載のコネクタ。
【発明の詳細な説明】
【技術分野】
【０００１】
本発明は、コネクタハウジングの端子収容室に挿入した端子の横方向への振れ（ねじれとも言う）を抑制して、適正な姿勢で端子をコネクタハウジング内に収容保持できるようにしたコネクタに関する。
【背景技術】
【０００２】
コネクタハウジング内部の端子収容室に可撓性を有するランスを設け、このランスのビーク（係止凸部）を端子の係止孔に係合させることにより、端子を保持固定するようにしたコネクタがよく知られている（例えば、特許文献１参照）。
【０００３】
図１５は従来のこの種のコネクタの例を示している。
このコネクタ１０１は、コネクタハウジング１１０と、電線Ｗの先端に取り付けられコネクタハウジング１１０の内部に収容保持される端子１５０と、コネクタハウジング１１０の内部に前方から装着されるフロントホルダ１７０と、コネクタハウジング１１０に装着され、相手側コネクタと嵌合させる際に回動させられることにより、てこの原理を利用して小さい力で完全嵌合させるレバー１８０と、防水栓１６０及びパッキン１６５と、を備えている。
【０００４】
コネクタハウジング１１０には、アウタハウジング部１１１と、その内側のインナハウジング部１１２とが設けられており、インナハウジング部１１２の内部には、後方から端子１５０が挿入される端子収容室１１４と、端子１５０を前方向に位置決めするストッパ１１５と、端子収容室１１４に後方から端子１５０が挿入された際に端子１５０に押されて端子１５０の挿入経路の外側（図１５では下側）へ一旦撓み変形し、端子１５０がストッパ１１５で位置決めされる位置まで挿入された段階で撓みから復帰して端子１５０の係止孔１５４にビーク１２２を係合させ、それにより、端子１５０を後方へ位置決め係止する可撓性を有したランス１２０と、が設けられている。ランス１２０には、ビーク１２２が１個だけ設けられている。
【先行技術文献】
【特許文献】
【０００５】
【特許文献１】特開２０１２−８４４０４号公報
【発明の概要】
【発明が解決しようとする課題】
【０００６】
ところで、上記従来のコネクタ１０１では、図１６に示すように、コネクタハウジング１１０の後方に延びる電線Ｗに矢印Ｘで示すような曲げ方向（端子の挿入方向である前後方向に対して直交する横方向）のテンションが加わった際に、端子収容室内で端子が横に過剰に振れるおそれがあった。
【０００７】
即ち、図１７に示すように、従来のコネクタ１０１では、ランス１２０に設けた１個のビーク１２２が端子１５０の係止孔５４と係合しているだけであるから、端子１５０の保持力が弱く、端子収容室１１４内のガタにより端子１５０が横方向に斜めに振れやすくなる可能性があり、端子１５０が横方向にねじれることで、端子１５０とランス１２０の係合が外れやすくなることがあった。
【０００８】
また、電線Ｗにテンションが加わった状態のまま両コネクタ１０１、１０２が嵌合されると、図１７（ｂ）中のＰで示す部分のように、相手側コネクタのオスタブ端子１０６の先端が当方側コネクタ１０１の端子１５０の前端にどつく可能性があり、最悪の場合は嵌合不良となるおそれがあった。
【０００９】
本発明は、上述した事情に鑑みてなされたものであり、その目的は、コネクタハウジングの後方に延びる電線が横方向に引っ張られたりすることにより端子に左右方向へのねじり力が作用した場合にも、端子収容室内での端子の振れ（ねじれとも言う）を最小限に抑えることができ、それにより、コネクタ嵌合時の端子同士のどつきの問題を解消して、スムーズに端子同士を嵌合させることができ、しかも、端子の保持力向上を図ることのできるコネクタを提供することにある。
【課題を解決するための手段】
【００１０】
本発明の上記目的は、下記の構成により達成される。
（１）  コネクタハウジングと、電線の先端に取り付けられて前記コネクタハウジングの内部に収容保持される端子とを備え、
前記コネクタハウジングに、後方から前記端子が挿入される端子収容室と、該端子収容室に後方から挿入される前記端子の前端が突き当たることで前記端子を前方向に位置決めするストッパと、前記端子収容室に後方から前記端子が挿入された際に前記端子に押されて前記端子の挿入経路の外側へ一旦撓み変形し、前記端子が前記ストッパで位置決めされる位置まで挿入された段階で撓みから復帰して前記端子の係止孔にビークを係合させ、それにより前記端子を後方へ位置決め係止する可撓性を有したランスと、が設けられたコネクタにおいて、
前記端子の前部に、相手側コネクタのオスタブ端子が前方から進入してきたときに該オスタブ端子を受け入れて接触導通する扁平角筒状のボックス部が設けられ、該ボックス部を構成する幅広の周壁の幅方向中央と幅方向両端近傍の３箇所にそれぞれ前記係止孔が設けられており、
一方、前記ランスに、前記端子の３箇所の前記係止孔にそれぞれ係合する３つの前記ビークが突設されていることを特徴とするコネクタ。
【００１１】
（２）  前記ランスが、前記端子の前記ボックス部の幅寸法に対応した１枚の幅広の板状に形成され、その板状の前記ランスの幅広面に、前記端子の３箇所の前記係止孔にそれぞれ係合する３つの前記ビークが突設され、前記ランスの幅方向両端に配された前記ビークと幅方向中央に配された前記ビークの間に位置させて前記ランスには、前記ランスの弾性を高めるためのスリットが前後方向に沿って形成され、該スリットで前記ランスの幅方向に切り離された３つの部分の先端が連結部により相互連結されていることを特徴とする上記（１）に記載のコネクタ。
【００１２】
（３）  前記ランスの幅方向両端に配された前記ビークと前記幅方向中央に配された前記ビークの位置が前後方向にずれており、前記３つのビークの前端が前記各係止孔の前部孔縁に係合し、少なくとも前記幅方向両端に配された前記ビークの側面が前記係止孔の側部孔縁に係合するように構成されていることを特徴とする上記（１）又は（２）に記載のコネクタ。
【００１３】
（４）  前記幅方向両端に配されたビークが前記幅方向中央に配されたビークよりも前後方向に長く形成されていることを特徴とする上記（３）に記載のコネクタ。
【００１４】
（５）  前記コネクタハウジングの内部に前方から装着されるフロントホルダを有し、
該フロントホルダは、前記コネクタハウジングに対し手前側の仮係止位置から奥側の本係止位置に押し込み可能とされ、
前記コネクタハウジングに、前記フロントホルダが仮係止位置にある状態で、前記コネクタハウジングの後方より挿入された端子を抜け止め係止する前記ランスが設けられ、
該フロントホルダには、前記端子を前記ランスにより抜け止め係止した状態で前記フロントホルダを仮係止位置から本係止位置に押し込んだとき、前記ランスの撓み空間内に進入して前記ランスの撓みを禁止し、それにより前記端子を二重係止するランス押さえ部が設けられていることを特徴とする上記（１）〜（４）のいずれか一つに記載のコネクタ。
【００１５】
上記（１）の構成のコネクタによれば、ランスの幅方向に並べて配置した３つのビークにより端子を後方へ抜け止め係止するので、電線が横方向に引っ張られたりすることにより端子に左右方向への力が作用した場合にも、端子収容室内での端子の振れ（ねじれとも言う）を最小限に抑えることができる。従って、当方側のコネクタと相手側コネクタを嵌合する際に、相手側コネクタのオスタブ端子が当方側のコネクタの端子にどつくのを防止することができ、スムーズに端子同士を嵌合させることができる。また、３つのビークで端子を保持するので、端子の保持力向上を図ることができる。
【００１６】
上記（２）の構成のコネクタによれば、３つのビークを設ける関係でランスが幅広の板状に形成されていることにより、ランスの剛性が高まって端子挿入時の挿入抵抗が大きくなるが、ランスにはスリットが設けられているので、挿入抵抗の増加を極力抑制することができる。また、スリットでランスの幅方向に切り離された３つの部分の先端が連結部により相互連結されているので、端子を取り外すためにランスを強制的に撓ませる際に、中央のビークを係合離脱方向に変位させるだけで、一緒に他のビークも係合離脱方向に変位させることができる。そのため、端子取り外し時には従来のビークが１個の場合と同じ操作を行うだけでよくなる。
【００１７】
上記（３）の構成のコネクタによれば、３つのビークの前端を各係止孔の前部孔縁に係合させることにより、端子を後方へ確実に位置決め保持することができ、また、ランスの幅方向両端に配された２つのビークの側端面を係止孔の側部孔縁に係合させることにより、端子を幅方向に移動しないように規制することができる。また、３つのビークがランスの幅方向に一列に並ばない設定になっているので、端子のねじれを有効に防止することができる。
【００１８】
上記（４）の構成のコネクタによれば、ランスの幅方向両端に配されたビークが、幅方向中央に配されたビークよりも前後方向に長く形成されているので、長い方のビークの側面で端子を支持することができ、端子に対する側面支持の効果を大きくすることができて、ねじれを確実に防止することができる。つまり、端子の保持姿勢を適正に保つことができるので、相手側コネクタのオスタブ端子が当方のコネクタの端子の前端にどつくのを確実に防止することができる。
【００１９】
上記（５）の構成のコネクタによれば、端子を端子収容室に挿入してランスで係止した状態で、フロントホルダを仮係止位置から本係止位置まで押し込むことにより、端子を二重係止することができ、端子を確実に抜け止めすることができる。
【発明の効果】
【００２０】
本発明によれば、ランスの幅方向に並べて配置した３つのビークにより端子を後方へ抜け止め係止するので、電線が横方向に引っ張られたりすることにより端子に左右方向へのねじり力が作用した場合にも、端子収容室内での端子の振れ（ねじれとも言う）を最小限に抑えることができる。従って、当方側のコネクタと相手側コネクタを嵌合する際に、相手側コネクタのオスタブ端子が当方側コネクタの端子にどつくのを防止することができ、スムーズに端子同士を嵌合させることができる。また、３つのビークで端子を保持するので、端子の保持力向上を図ることができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は本発明の実施形態のコネクタの分解斜視図である。
【図２】図２は同コネクタの相手側コネクタと嵌合する前の状態を示す外観斜視図である。
【図３】図３は同コネクタの説明図で、コネクタハウジングの端子収容室に、電線の先端に取り付けた端子を挿入しようとしている状態を示す側断面図である。
【図４】図４（ａ）は同コネクタハウジングの端子収容室に、電線の先端に取り付けた端子を挿入する途中の状態を示す側断面図、図４（ｂ）は同コネクタハウジングの端子収容室に、電線の先端に取り付けた端子を挿入した状態を示す側断面図である。
【図５】図５（ａ）は前記端子の下面側の構成を示す斜視図、図５（ｂ）は同端子を端子収容室に挿入した際の係合状態を水平断面で示す斜視図、図５（ｃ）は端子収容室側の構成を水平断面で示す平面図である。
【図６】図６は前記端子収容室に設けたランスの構成を水平断面で示す斜視図である。
【図７】図７は同ランスの構成図で、図７（ａ）は斜視図、図７（ｂ）は平面図、図７（ｃ）は正面図、図７（ｄ）は側面図である。
【図８】図８は図４（ｂ）に示すように端子を挿入した後に、フロントホルダを仮係止位置から本係止位置まで押し込み操作する場合の作用説明図で、図８（ａ）はフロントホルダを仮係止位置から本係止位置まで押し込む前の状態を示す側断面図、図８（ｂ）はフロントホルダを仮係止位置から本係止位置まで押し込んだときの状態を示す側断面図である。
【図９】図９は図８に示す場合と逆に、挿入した端子を外すためにフロントホルダを本係止位置から仮係止位置まで引き出す場合の作用説明図で、図９（ａ）はフロントホルダを本係止位置から仮係止位置まで引き出す前の状態を示す側断面図、図９（ｂ）はフロントホルダを本係止位置から仮係止位置まで引き出した状態を示す側断面図である。
【図１０】図１０は図９に示すようにフロントホルダを仮係止位置まで引き出した状態で、端子を引き抜く場合の作用説明図で、図１０（ａ）は係止解除治具を端子収容室に挿入してランスを係止解除側に強制的に撓ませている状態を示す側断面図、図１０（ｂ）はその上で端子を端子収容室から引き抜いている状態を示す側断面図である。
【図１１】図１１は実施形態のコネクタと相手側コネクタを嵌合させる場合の手順説明図で、当方のコネクタと相手側コネクタを初期嵌合させ、その状態でレバーを回動操作しようとしている状態を示す水平断面図である。
【図１２】図１２は前記レバーを回動操作することにより、両コネクタを完全嵌合させたときの状態を示す水平断面図及びその一部拡大図である。
【図１３】図１３は実施形態のコネクタを相手側コネクタと嵌合する前に、電線に横方向の引っ張り力が作用した際の状態を示す図で、図１３（ａ）は全体水平断面図、図１３（ｂ）はその一部を拡大することで、相手側コネクタのオスタブ端子と当方のコネクタの端子とがどつきを起こさずに嵌合できる状態を示す拡大図である。
【図１４】図１４は実施形態のコネクタを図１２の状態にしたときの外観斜視図である。
【図１５】図１５は従来のコネクタの説明図で、コネクタハウジングの端子収容室に、電線の先端に取り付けた端子を挿入しようとしている状態を示す側断面図である。
【図１６】図１６は従来例のコネクタを相手側コネクタと嵌合する前に、電線に横方向の引っ張り力が作用している状態を示す平面図である。
【図１７】図１７は図１６のように電線に横方向の引っ張り力が作用することで、端子が端子収容室内で過剰に横に振れてしまったときの状態を示す図で、図１７（ａ）は全体水平断面図、図１７（ｂ）はその一部を拡大することで、相手側コネクタのオスタブ端子と当方側コネクタの端子とがどつきを起こしている状態を示す拡大図である。
【発明を実施するための形態】
【００２３】
以下、本発明の実施形態を図面を参照して説明する。
図１〜図１４は実施形態のコネクタを示している。
このコネクタ１は、相手側オスコネクタ２と嵌合されるメスコネクタであり、図１及び図２に示すように、樹脂製のコネクタハウジング１０と、それぞれ電線Ｗの先端に取り付けられてコネクタハウジング１０の内部に収容保持される必要個数の金属製の端子５０と、コネクタハウジング１０の内部に前方から装着される樹脂製のフロントホルダ７０と、コネクタハウジング１０に回動自在に装着され、両コネクタ１、２を嵌合させる際に、両コネクタ１、２を初期嵌合状態にした上で仮係止位置から本係止位置まで回動させられることにより、てこの原理を利用して小さい力で両コネクタ１、２を完全嵌合させるレバー８０と、防水栓６０及びパッキン６５と、を備えている。
【００２４】
コネクタハウジング１０には、前面に開口１１ａを有するアウタハウジング部１１と、その内側のインナハウジング部１２とが設けられており、アウタハウジング部１１とインナハウジング部１２との間には、両コネクタ１、２の嵌合時に、相手側コネクタ２のフード部４の進入するフード部嵌合スペース１３が確保されている。なお、アウタハウジング部１１とインナハウジング部１２は、後から装着する部品の邪魔にならない位置で互いに一体に連結されている。
【００２５】
インナハウジング部１２の内部には、図３に示すように、それぞれ後方から端子５０が挿入される複数の端子収容室１４と、図５（ｂ）及び図５（ｃ）に示すように、端子収容室１４に後方から挿入される端子５０の前端が突き当たることで端子５０を前方向に位置決めするストッパ１５と、端子収容室１４に後方から端子５０が挿入された際に端子５０に押されて端子５０の挿入経路の外側（図３では下側）へ一旦撓み変形し、端子５０がストッパ１５で位置決めされる位置まで挿入された段階で撓みから復帰して端子５０の係止孔５４、５５にビーク２２、２３を係合させ、それにより、端子５０を後方へ位置決め係止する可撓性を有したランス２０と、が設けられている。
【００２６】
端子５０は、図３及び図５（ａ）に示すように、前部に、相手側コネクタ２のオスタブ端子が前方から進入してきたときに該オスタブ端子を受け入れて接触導通する扁平角筒状のボックス部５１を有し、後部に、電線Ｗの先端に加締め固定するための電線加締部５８を有するもので、ボックス部５１を構成する幅広の周壁の幅方向中央と幅方向両端近傍の３箇所にそれぞれ係止孔５４、５５を有している。ボックス部５１の内部には、オスタブ端子を受け入れる差し込みスペース５２と、差し込みスペース５２に進入してきたオスタブ端子をボックス部５１の周壁との間で挟み込むバネ片５３とが設けられている。
【００２７】
端子５０に先端が固定された電線Ｗの外周には、端子収容室１４の周壁と電線Ｗの外周との間の隙間をシールするゴム製の防水栓６０が設けられ、コネクタハウジング１０のインナハウジング部１２の外周には、両コネクタ１、２を嵌合した際に相手側コネクタ２のフード部４とインナハウジング部１２との間の隙間をシールするパッキン６５が設けられており、これら防水栓６０及びパッキン６５のシール作用によりコネクタ１が防水仕様に構成されている。なお、図５（ａ）に示すように、防水栓６０は、端子５０の後端に設けた加締片５９により、電線Ｗの絶縁被覆の上に加締め固定されている。
【００２８】
ランス２０は、後端２１をインナハウジング部１２の内周壁に固定することで、自由端である先端を前方に向けて片持状に設けられている。このランス２０は、図５（ｂ）及び図５（ｃ）、図６及び図７に示すように、端子５０のボックス部５１の幅寸法に対応した１枚の幅広の板状に形成され、その板状のランス２０の自由端である先端に近い幅広面に、端子５０の３箇所の係止孔５４、５５にそれぞれ係合する３つのビーク２２、２３が突設されている。
【００２９】
この場合、ランス２０の幅方向両端に配されたビーク２３と幅方向中央に配されたビーク２２の間に位置させて、ランス２０には、ランス２０の弾性を高めるためのスリット２４が前後方向に沿って形成され、これらスリット２４でランス２０の幅方向に切り離された３つの部分の先端が連結部２５により相互連結されている。また、ランス２０の幅方向両端に配されたビーク２３と幅方向中央に配されたビーク２２の位置は前後方向にずれており、３つのビーク２２、２３の前端が各係止孔５４、５５の前部孔縁に係合し、少なくとも幅方向両端に配されたビーク２３の側面が係止孔５４の側部孔縁に係合するように構成されている。また、幅方向両端に配されたビーク２３は幅方向中央に配されたビーク２２よりも前後方向に長く形成されている。
【００３０】
フロントホルダ７０は、コネクタハウジング１０のインナハウジング部１２に対し手前側の仮係止位置から奥側の本係止位置に押し込み可能とされている。ここでは、フロントホルダ７０を、本係止位置に保持する手段は特に図示しない。
【００３１】
ランス２０は、フロントホルダ７０が仮係止位置にあるとき、コネクタハウジング１０の後方より挿入された端子５０に押されて一旦撓み空間２８側に撓み変形し、端子５０がストッパ１５で止まる位置まで挿入された段階で撓みから復帰することにより、端子５０を抜け止め係止することができるようになっている。
【００３２】
このフロントホルダ７０には、インナハウジング部１２の前端外周部に嵌合する筒壁７１が設けられており、この筒壁７１の底部側に、図８（ｂ）に示すように、端子５０をランス２０により抜け止め係止した状態でフロントホルダ７０を仮係止位置から本係止位置に押し込んだとき、ランス２０の撓み空間２８内に進入してランス２０の撓みを禁止し、それにより端子５０を二重係止するランス押さえ部７８が設けられている。なお、フロントホルダ７０は、前後方向に貫通した形状をなしており、図１０に示すように、フロントホルダ７０の前方から係止解除治具５００を挿入して、ランス２０を強制的に係止解除側に撓ませることができるようになっている。
【００３３】
レバー８０は、図１に示すように、互いに平行に対向する一対の側板８１、８２と、これら一対の側板８１、８２を連結して正面視形状コ字状にする連結操作部８３と、からなる。このレバー８０は、両方の側板８１、８２を、コネクタハウジング１０のインナハウジング部１２を上下から挟む位置に配した状態で、コネクタハウジング１０に水平方向回動可能に装着されており、仮係止位置から回動させることにより、初期嵌合されている両コネクタ１、２を完全嵌合させることができるように構成されている。
【００３４】
なお、図１に示すように、レバー８０の連結操作部８３には、レバー８０を本係止位置まで回動させたとき、コネクタハウジング１０側の係止アーム１７に設けたロック部１８に係合する係合爪８８が設けられている。また、相手側コネクタ２のハウジング３と、当方側コネクタ１のアウタハウジング部１１の内周には、互いに係合することで仮係合状態を維持する仮係止突起１６、５が設けられている。
【００３５】
次に組み立て手順と分解手順について説明する。
コネクタハウジング１０には、予めフロントホルダ７０、レバー８０、パッキン６５が組み付けられており、フロントホルダ７０及びレバー８０は仮係止位置に保持されている。この状態において、電線Ｗの先端に取り付けられた端子５０をコネクタハウジング１０に組み付ける場合には、図３及び図４に示すように、端子収容室１４に後方から端子５０を挿入する。端子５０を挿入すると、電線Ｗの外周に装着された防水栓６０が端子収容室１４の周壁内面に密着し、端子収容室１４の周壁と電線Ｗの外周の隙間がシールされる。
【００３６】
また、端子５０を挿入した際に、図４（ａ）に示すように、ランス２０が端子５０に押されることで、一旦端子５０の挿入経路から外側に矢印Ａ方向に撓む。この段階では、フロントホルダ７０が仮係止位置にあることにより、ランス２０の外側にランス２０の撓み空間２８が確保されている。挿入された端子５０は、図４（ｂ）及び図５（ｂ）に示すように、前端が端子収容室１４の前端に設けられたストッパ１５に当たることで止まり、同時にランス２０が元の位置に撓みから復帰し、ランス２０の３つのビーク２２、２３がそれぞれ端子５０の係止孔５４、５５に係合して、それにより、端子５０が係止状態に保持される。
【００３７】
次に図８に示すように、仮係止状態にあるフロントホルダ７０を押し込むことで、フロントホルダ７０が本係止され、同時に、フロントホルダ７０のランス押さえ部７８がランス２０の撓み空間２８に入り込んで、ランス２０を撓み不可能な状態に保持する。これにより、端子５０が二重係止により固定される。
【００３８】
この状態から端子５０を取り外す場合は、図９に示すように、まず、フロントホルダ７０を本係止位置から仮係止位置に引き戻し、ランス２０を撓み可能な状態にする。次に図１０に示すように、フロントホルダ７０の前方から係止解除治具５００の先端を挿入し、係止解除治具５００の先端でランス２０を強制的に外側に撓ませる。そうすると、ランス２０のビーク２２、２３が端子５０の係止孔５４、５５からそれぞれ外れるので、その状態で端子５０を後方に引っ張ることにより、端子収容室１４から端子５０を取り外すことができる。
【００３９】
また、図８（ｂ）に示す状態から、両コネクタ１、２を嵌合させる場合は、図１１に示すように、相手側コネクタ２のハウジング３と当方側のコネクタハウジング１０のアウタハウジング部１１を初期嵌合させ、仮係止突起１６、５を互いに係合させる。
【００４０】
次にレバー８０を矢印Ｂ方向へ回転させる。そうすると、レバー８０の回動による作用によって、両コネクタ１、２が完全嵌合し、相手側コネクタ２のフード部４がパッキン６５の外周に嵌合して、相手側コネクタ２のフード部４と当方側コネクタ１のインナハウジング部１２の間の隙間がシールされる。同時に、図１２及び図１４に示すように、レバー８０に設けられた係合爪８８が、コネクタハウジング１０側の係止アーム１７に設けたロック部１８に係合することで、レバー８０が本係止位置に保持される。
【００４１】
上記構成のコネクタ１によれば、ランス２０の幅方向に並べて配置した３つのビーク２２、２３により端子５０を後方へ抜け止め係止するので、図１３に示すように、電線Ｗが横方向に引っ張られたりすることにより端子５０に左右方向へのねじり力が作用した場合にも、図中Ｓ２、Ｓ３、Ｓ４の小円で囲む３箇所で振れ幅が規制されることになり、端子収容室１４内での端子５０の振れ（ねじれとも言う）を最小限に抑えることができる。従って、当方側のコネクタ１と相手側コネクタ２を嵌合する際に、相手側コネクタ２のオスタブ端子６が当方側のコネクタ１の端子５０にどつく（Ｓ１の小円で囲む部分でどつく）のを防止することができ、スムーズに端子５０、６同士を嵌合させることができる。また、３つのビーク２２、２３で端子５０を保持するので、端子５０の保持力向上を図ることができる。
【００４２】
また、このコネクタ１によれば、３つのビーク２２、２３を設ける関係でランス２０が幅広の板状に形成されていることにより、ランス２０の剛性が高まって端子挿入時の挿入抵抗が大きくなるが、ランス２０にはスリット２４が設けられているので、挿入抵抗の増加を極力抑制することができる。しかも、スリット２４でランス２０の幅方向に切り離された３つの部分の先端が連結部２５により相互連結されているので、端子５０を取り外すためにランス２０を強制的に撓ませる際に、中央のビーク２２を係合離脱方向に変位させるだけで、一緒に他の両側のビーク２３も係合離脱方向に変位させることができる。そのため、端子取り外し時には従来のビークが１個の場合と同じ操作を行うだけでよくなる。
【００４３】
また、このコネクタ１によれば、３つのビーク２２、２３の前端を各係止孔５４、５５の前部孔縁に係合させることにより、端子５０を後方へ確実に位置決め保持することができ、また、ランス２０の幅方向両端に配された２つのビーク２３の側端面を係止孔５５の側部孔縁に係合させることにより、端子５０を幅方向に移動しないように確実に規制することができる。また、３つのビーク２２、２３がランス２０の幅方向に一列に並ばない設定になっているので、端子５０のねじれを有効に防止することができる。
【００４４】
また、このコネクタ１によれば、ランス２０の幅方向両端に配されたビーク２３が、幅方向中央に配されたビーク２２よりも前後方向に長く形成されているので、長い方のビーク２３の側面で端子５０を横ズレしないように支持することができ、端子５０に対する側面支持の効果を大きくすることができて、ねじれを確実に防止することができる。つまり端子５０の保持姿勢を適正に保つことができるので、図１３に示すように、相手側コネクタ２のオスタブ端子６が当方側のコネクタ１の端子５０の前端にどつくのを確実に防止することができる。
【００４５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
ここで、上述した本発明に係るコネクタの実施形態の特徴をそれぞれ以下［１］〜［５］に簡潔に纏めて列記する。
【００４７】
［１］  コネクタハウジング（１０）と、電線（Ｗ）の先端に取り付けられて前記コネクタハウジング（１０）の内部に収容保持される端子（５０）とを備え、
前記コネクタハウジング（１０）に、後方から前記端子（５０）が挿入される端子収容室（１４）と、該端子収容室（１４）に後方から挿入される前記端子（５０）の前端が突き当たることで前記端子（５０）を前方向に位置決めするストッパ（１５）と、前記端子収容室（１４）に後方から前記端子（５０）が挿入された際に前記端子（５０）に押されて前記端子（５０）の挿入経路の外側へ一旦撓み変形し、前記端子（５０）が前記ストッパ（１５）で位置決めされる位置まで挿入された段階で撓みから復帰して前記端子（５０）の係止孔（５４、５５）にビーク（２２、２３）を係合させ、それにより前記端子（５０）を後方へ位置決め係止する可撓性を有したランス（２０）と、が設けられたコネクタ（１）において、
前記端子（５０）の前部に、相手側コネクタ（２）のオスタブ端子（６）が前方から進入してきたときに該オスタブ端子（６）を受け入れて接触導通する扁平角筒状のボックス部（５１）が設けられ、該ボックス部（５１）を構成する幅広の周壁の幅方向中央と幅方向両端近傍の３箇所にそれぞれ前記係止孔（５４、５５）が設けられており、
一方、前記ランス（２０）に、前記端子（５０）の３箇所の前記係止孔（５４、５５）にそれぞれ係合する３つの前記ビーク（５４、５５）が突設されていることを特徴とするコネクタ（１）。
【００４８】
［２］  前記ランス（２０）が、前記端子（５０）の前記ボックス部（５１）の幅寸法に対応した１枚の幅広の板状に形成され、その板状の前記ランス（２０）の幅広面に、前記端子（５０）の３箇所の前記係止孔（５４、５５）にそれぞれ係合する３つの前記ビーク（２２、２３）が突設され、前記ランス（２０）の幅方向両端に配された前記ビーク（２３）と幅方向中央に配された前記ビーク（２２）の間に位置させて前記ランス（２０）には、前記ランス（２０）の弾性を高めるためのスリット（２４）が前後方向に沿って形成され、該スリット（２４）で前記ランス（２０）の幅方向に切り離された３つの部分の先端が連結部（２５）により相互連結されていることを特徴とする上記［１］に記載のコネクタ（１）。
【００４９】
［３］  前記ランス（２０）の幅方向両端に配された前記ビーク（２３）と前記幅方向中央に配された前記ビーク（２２）の位置が前後方向にずれており、前記３つのビーク（２２、２３）の前端が前記各係止孔（５４、５５）の前部孔縁に係合し、少なくとも前記幅方向両端に配された前記ビーク（２３）の側面が前記係止孔（５５）の側部孔縁に係合するように構成されていることを特徴とする上記［１］又は［２］に記載のコネクタ（１）。
【００５０】
［４］  前記幅方向両端に配されたビーク（２３）が前記幅方向中央に配されたビーク（２２）よりも前後方向に長く形成されていることを特徴とする上記［３］に記載のコネクタ（１）。
【００５１】
［５］  前記コネクタハウジング（１０）の内部に前方から装着されるフロントホルダ（７０）を有し、
該フロントホルダ（７０）は、前記コネクタハウジング（１０）に対し手前側の仮係止位置から奥側の本係止位置に押し込み可能とされ、
前記コネクタハウジング（１０）に、前記フロントホルダ（７０）が仮係止位置にある状態で、前記コネクタハウジング（１０）の後方より挿入された端子を抜け止め係止する前記ランス（２０）が設けられ、
該フロントホルダ（７０）には、前記端子（５０）を前記ランス（２０）により抜け止め係止した状態で前記フロントホルダ（７０）を仮係止位置から本係止位置に押し込んだとき、前記ランス（２０）の撓み空間（２８）内に進入して前記ランス（２０）の撓みを禁止し、それにより前記端子（５０）を二重係止するランス押さえ部（７８）が設けられていることを特徴とする上記［１］〜［４］のいずれか一つに記載のコネクタ（１）。
【符号の説明】
【００５２】
１  コネクタ
２  相手側コネクタ
６  オスタブ端子
１０  コネクタハウジング
１４  端子収容室
１５  ストッパ
２０  ランス
２２，２３  ビーク
２４  スリット
２５  連結部
２８  撓み空間
５０  端子
５１  ボックス部
５４，５５  係止孔
７０  フロントホルダ
７８  ランス押さえ部
Ｗ  電線
【図１】
2014026793.tif 000003
【図２】
2014026793.tif 000004
【図３】
2014026793.tif 000005
【図４】
2014026793.tif 000006
【図５】
2014026793.tif 000007
【図６】
2014026793.tif 000008
【図７】
2014026793.tif 000009
【図８】
2014026793.tif 000010
【図９】
2014026793.tif 000011
【図１０】
2014026793.tif 000012
【図１１】
2014026793.tif 000013
【図１２】
2014026793.tif 000014
【図１３】
2014026793.tif 000015
【図１４】
2014026793.tif 000016
【図１５】
2014026793.tif 000017
【図１６】
2014026793.tif 000018
【図１７】
2014026793.tif 000019